(57)【要約】【課題】顔の広い範囲を同時にマッサージできるとともに、スムーズにローラーが回転開始するマッサージ器を提供すること。【解決手段】皮膚をマッサージするマッサージ器１は、本体１０の長手方向において、把持部１１０とは逆側である先端側に設けられ、長手方向と直交する方向に回転自在に保持された第１ローラー２１、第２ローラー２２及び第３ローラー２３を有するローラー機構２０と、本体１０体の長手方向において、ローラー機構２０の位置よりも、さらに先端側に設けられ、全方向に回転自在に保持された球体である補助ボール４０と、を備え、第１ローラー２１、第２ローラー２２及び第３ローラー２３の外周面と補助ボール４０の球面とは、本体１０表面からの高さが略同一である。【選択図】図２
2013128699.tif 000002
【特許請求の範囲】
【請求項１】
皮膚をマッサージするマッサージ器であって、
把持部を有する本体と、
前記本体の長手方向において、前記把持部とは逆側である先端側に設けられ、前記本体の前記皮膚に対面する側の表面から突出し、前記長手方向と直交する方向に回転自在に保持された複数の多角柱ローラーを有するローラー機構と、
前記本体の長手方向において、前記ローラー機構の位置よりも、さらに先端側に設けられ、前記本体の前記表面から突出し、全方向に回転自在に保持された球体である補助ボールと、を備え、
前記複数の多角柱ローラーの外周面と前記補助ボールの球面とは、前記本体の前記表面からの高さが略同一であるマッサージ器。
【請求項２】
前記補助ボールの回転半径と、前記多角柱ローラーの回転半径とは、略同一である請求項１に記載のマッサージ器。
【請求項３】
前記複数の多角柱ローラーの少なくとも１つは、他の前記多角柱ローラーとは異なる素材で形成されている請求項１又は２に記載のマッサージ器。
【請求項４】
前記複数の多角柱ローラーは、第１ローラー、第２ローラー及び第３ローラーを含み、
前記第１ローラーは、遠赤外線セラミックで形成された第１外形部を有し、
前記第２ローラーは、マグネットの表面がアルミコーティングされた第２外形部を有し、
前記第３ローラーは、ゲルマニウムで形成された第３外形部を有する請求項１又は２に記載のマッサージ器。
【請求項５】
前記第１外形部及び前記第３外形部の表面に半球体状の突起が設けられており、前記第２外形部の表面に半球体状の突起が設けられていない請求項４に記載のマッサージ器。
【請求項６】
前記本体には、前記ローラー機構を収容するローラー機構収容部が形成され、
前記ローラー機構は、前記ローラー機構収容部にスペーサーとともに収容される請求項１乃至５のいずれかに記載のマッサージ器。
【発明の詳細な説明】
【技術分野】
【０００１】
本発明は、人間の皮膚に刺激を与えて、皮膚の状態を良好にするためのマッサージ器に関する。
【背景技術】
【０００２】
従来、ローラーを顔面で回転させることによって、顔をマッサージする器具が知られている。
例えば、特許文献１において、ローラー部と、把持部と、ローラー部と把持部とを連結する連結軸部とよりなる美顔用マッサージ器が提案されている。
この美顔用マッサージ器の使用に際し、使用者は、把持部を持ち、ローラー部を顔面に当て、美顔用マッサージ器上下や左右に移動させる。これにより、顔の皮膚に刺激を与え、マッサージ効果が得られる。
【先行技術文献】
【特許文献】
【０００３】
【特許文献１】特開２０１１−３０８７１号公報
【発明の概要】
【発明が解決しようとする課題】
【０００４】
しかし、特許文献１の美顔用マッサージ器は、ローラーが１本であるため、一度に皮膚に当接する範囲が狭く、マッサージできる範囲が狭い。より広い範囲を同時にマッサージするために、複数のローラーを設けることが考えられる。しかし、複数のローラーを設けた場合、ローラーの回転方向とずれた方向に美顔用マッサージ器を移動させると、スムーズにローラーが回転せず、使用者に不快感を与え、また、マッサージを効率的に実施できない場合があるという問題がある。また、ローラー外周においてが最初に皮膚に接する接し方によっては、ローラーがスムーズに回転開始せず、使用者に不快感を与えるという問題もある。
【０００５】
本発明は、顔の広い範囲を同時にマッサージできるとともに、スムーズにローラーが回転開始するマッサージ器を提供することを目的とする。
【課題を解決するための手段】
【０００６】
（１）皮膚をマッサージするマッサージ器であって、把持部を有する本体と、前記本体の長手方向において、前記把持部とは逆側である先端側に設けられ、前記本体の前記皮膚に対面する側の表面から突出し、前記長手方向と直交する方向に回転自在に保持された複数の多角柱ローラーを有するローラー機構と、前記本体の長手方向において、前記ローラー機構の位置よりも、さらに先端側に設けられ、前記本体の前記表面から突出し、全方向に回転自在に保持された球体である補助ボールと、を備え、前記複数の多角柱ローラーの外周面と前記補助ボールの球面とは、前記本体の前記表面からの高さが略同一であるマッサージ器。
【０００７】
（１）の発明によれば、複数の多角柱ローラーを設けたので、顔面の広い範囲を同時にマッサージできる。また、多角柱ローラーよりもさらに先端に補助ボールを設けたので、顔面に対して先端側からマッサージ器を接触させる場合に、必ず、補助ボールが多角柱ローラーよりも先に顔面に接触する。補助ボールは、多角柱ローラーとは異なり、球体であるから、顔面に接触した場合に、スムーズに回転を開始し、顔面上を滑ることもできる。そして、補助ボールの接触によって変形した顔面の本体の表面からの高さは、多角柱ローラーの外周面の本体の表面からの高さとほぼ等しい。このため、補助ローラーに続いて顔面に接触する多角柱ローラーは、その外周面において本体表面から最も遠い部分が最初に顔面に接触する。このため、マッサージ器を移動させる力が無駄なくローラに伝わり、ローラーはスムーズに回転を開始する。
したがって、顔の広い範囲を同時にマッサージできるとともに、スムーズにローラーが回転するローラー回転式のマッサージ器を提供できる。
【０００８】
（２）前記補助ボールの回転半径と、前記多角柱ローラーの回転半径とは、略同一である（１）に記載のマッサージ器。
【０００９】
（２）の発明によれば、記補助ボールの回転半径と、前記多角柱ローラーの回転半径とは、略同一であるので、簡易な構造で、かつ、小さな形状を維持することができる。
【００１０】
（３）前記複数の多角柱ローラーの少なくとも１つは、他の前記多角柱ローラーとは異なる素材で形成されている（１）又は（２）に記載のマッサージ器。
【００１１】
（３）の発明によれば、複数の多角柱ローラーをそれぞれ異なる素材で形成することで、多角柱ローラーの回転による皮膚への物理的刺激に加え、さらに、個々の素材の特有の性質によって、それぞれ異なる作用を皮膚に与えることができる。顔面の皮膚に、複数の異なる作用を与えることにより、一層有効なマッサージ効果を付与することができる。
【００１２】
（４）前記複数の多角柱ローラーは、第１ローラー、第２ローラー及び第３ローラーを含み、前記第１ローラーは、遠赤外線セラミックで形成された第１外形部を有し、前記第２ローラーは、マグネットの表面がアルミコーティングされた第２外形部を有し、前記第３ローラーは、ゲルマニウムで形成された第３外形部を有する（１）又は（２）に記載のマッサージ器。
【００１３】
（４）の発明によれば、第１のローラーの遠赤外線セラミックは、遠赤外線を放射し、この遠赤外線により体内を温め、血行を促進する。第２ローラーのマグネットは、その磁力により、血行を促進する。第３ローラーのゲルマニウムは、ゲルマニウムによる血行促進の効果を有する。
【００１４】
（５）前記第１外形部及び前記第３外形部の表面に半球体状の突起が設けられており、前記第２外形部の表面に半球体状の突起が設けられていない（４）に記載のマッサージ器。
【００１５】
（５）の発明によれば、第１及び第３ローラーに突起を設けることで、多角柱ローラーの回転により皮膚に、突起による刺激を与えることができる。これに対して、第２ローラーには突起が設けられないから、第２ローラーからは多角柱ローラーによる刺激のみが与えられる。このように、第１及び第３ローラーによる刺激の種類と、第２ローラーによる刺激の種類が異なるから、顔面の皮膚に、複数の異なる作用を与えることができ、さらに一層有効なマッサージ効果を付与することができる。また、突起を設けた第１及び第３ローラーの間に、突起を設けていない第２ローラーを設けることで、多角柱ローラー同士の距離を短く設定した場合であっても、突起同士が干渉し、ローラーの回転を妨げることを防止できる。
【００１６】
（６）前記本体には、前記ローラー機構を収容するローラー機構収容部が形成され、
前記ローラー機構は、前記ローラー機構収容部にスペーサーとともに収容される（１）乃至（５）のいずれかに記載のマッサージ器。
【００１７】
（６）の発明によれば、本体の形状を変えた場合でも、スペーサーの形状を変えるだけで、ローラー機構の形状や仕様を変えることなく流用できるので、設計変更が容易にできる。
【発明の効果】
【００１８】
本発明によれば、顔の広い範囲を同時にマッサージできるとともに、スムーズにローラーが回転開始するマッサージ器を提供できる。
【図面の簡単な説明】
【００１９】
【図１】本発明の一実施形態に係るマッサージ器の斜視図である。
【図２】本発明の一実施形態に係るマッサージ器の分解斜視図である。
【図３】（ａ）は、本発明の一実施形態に係るマッサージ器の側面図である。（ｂ）は、（ａ）における先端側の拡大図である。
【図４】（ａ）は、本発明の一実施形態に係るマッサージ器の使用状態を説明する図である。（ｂ）は、（ａ）における先端側の拡大図である。
【発明を実施するための形態】
【００２０】
以下、本発明の実施形態を図面に基づいて説明する。図１及び図２示すように、マッサージ器１は、本体１０と、ローラー機構２０と、スペーサー３０と、補助ボール４０と、カバー５０と、を備える。
【００２１】
本体１０は、細長いスプーン状の形状をしており、長さ方向を長手方向Ｌと呼び、長さ方向Ｌに直行する方向を幅方向Ｗと呼ぶ。本体１０は、鉛で形成され、表面には塗料吹き付けやメッキによって防錆処理が施されている。本体１０を密度の高い鉛で形成することにより、マッサージ器１全体の大きさを小さく維持しつつ、使用者が快適に使用できる適度の重量、例えば、８０グラム（ｇ）を有するようになっている。
【００２２】
本体１０は、使用者により把持される把持部１１０と、ローラー機構収容部１２０を備える。把持部１１０は長手方向Ｌにおける基端側に配置され、ローラー機構収容部１２０は長手方向Ｌにおける先端側に配置される。ローラー機構収容部１２０は、ローラー機構２０を収容する。
【００２３】
ローラー機構収容部１２０には、ローラー突出孔１２１と補助ボール突出孔１２２とが形成されている。ローラー突出孔１２１は、後述する第１ローラー２１、第２ローラー２２及び第３ローラー２３の一部が本端１０から突出するための孔である。補助ボール突出孔１２２は、後述する補助ボール４０の一部が本体１０から突出するための孔である。
【００２４】
ローラー突出孔１２１の開口形状は、略長方形であり、例えば、長手方向Ｌの長さが３２ｍｍ、幅方向Ｗの長さが２５ｍｍである。補助ボール突出孔１２２は、ローラー突出孔１２１よりも、長手方向Ｌにおいてさらに先端側に設けられた開口形状が円形の孔であり、例えば、直径９ｍｍの円孔である。ローラー突出孔１２１と補助ボール突出孔１２２とは、その中心が長手方向Ｌにおいて同一線上に設けられ、互いの端部が最も近接する位置の距離は、例えば、１ｍｍである。
【００２５】
上述のように、ローラー機構２０は、本体１０のローラー機構収容部１２０の内部に配置されている。ローラー機構２０は、第１ローラー２１、第２ローラー２２及び第３ローラー２３と、ローラー支持部材２４と、を備える。第１ローラー２１、第２ローラー２２及び第３ローラー２３は、多角柱ローラーであり、正六角柱の形状を有する。第１ローラー２１等の各ローラーは、マッサージ器１において、長手方向と直交する方向に回転自在に保持されている。
【００２６】
第１ローラー２１は、正六角柱に形成された第１外形部２１０と、第１外形部の中心軸に設けられた第１回転軸２１１と、を備える。第１外形部２１０は、遠赤外線セラミックで形成されている。
第１外形部２１０の表面には、１面おきに、半球体状の突起ａが３つ、等間隔で配置されている。すなわち、第１外形部２１０の６つの表面のうち、３面に突起ａが設けられている。
【００２７】
第２ローラー２２は、正六角柱に形成された第２外形部２２０と、第２外形部の中心軸に設けられた第２回転軸２２１と、を備える。第２外形部２２０は、マグネット（３０００ガウスから５０００ガウス）で形成され、その表面がアルミコーティングされている。
【００２８】
第３ローラー２３は、正六角柱に形成された第３外形部２３０と、第３外形部の中心軸に設けられた第３回転軸２３１と、を備える。
第３外形部２３０は、ゲルマニウムで形成されている。第３外形部２３０は、例えば、正六角柱形状に形成された下地材に、高純度（９９．９９９％）のゲルマニウムパウダーを付着させることで形成される。
第３外形部３１０の表面には、１面おきに、半球体状の突起ａが３つ、等間隔に配置されている。すなわち、第３外形部３１０の６つの表面のうち、３面に突起ａが設けられている。
【００２９】
ローラー支持部材２４は、第１ローラー２１、第２ローラー２２及び第３ローラー２３を回転自在に保持する。第１ローラー２１等の各ローラー転は、幅方向Ｗに延びる回転軸を中心に回転する。具体的には、ローラー支持部材２４には、第１回転軸２１１の両端を保持する１対の第１孔２４１、第２回転軸２２１の両端を保持する１対の第２孔２４２及び第３回転軸２３１の両端を保持する１対の第３孔２４３が形成され、それぞれの端部間の距離が、略１０ｍｍの間隔で形成されている。第１孔２４１、第２孔２４２及び第３孔２４３の中心を結ぶ線は、緩やかな円弧を描くようになっている。
【００３０】
また、ローラー支持部材２４には、補助ボール４０を回転自在に保持する補助ボール保持孔２４４が形成されている。補助ボール保持孔２４４の直径は、補助ボール４０の直径より僅かに小さく形成されている。また、ローラー支持部材２４には、スペーサー３０と係合するスペーサー係合部２４５が形成されている。
【００３１】
第１外形部２１０、第２外形部２２０及び第３外形部２３０の回転半径、すなわち、最も遠い角同士の間の距離は、いずれもほぼ同一であり、例えば、９ｍｍで形成されている。第１ローラー２１、第２ローラー２２及び第３ローラー２３がローラー支持部材２４に保持されたときに、第１外形部２１０、第２外形部２２０及び第３外形部２３０は、互いに最も近接した状態で、約２ｍｍの間隔を有するようになっている。また、第１外形部２１０及び第３外形部２３０の表面に配置された突起ａの半径は、１ｍｍである。このため、第１外形部２１０及び第３外形部２３０の突起ａの頂点と第２外形部２２０の表面とが最も近接したときの距離は、１ｍｍとなる。即ち、仮に、第２外形部２２０の表面にも突起ａを設けた場合、突起ａ同士が接触する場合もある。しかし、本実施形態では、第２外形部２２０の表面には突起ａを設けられていないので、突起ａ同士が接触することはない。また、第１外形部２１０、第２外形部２２０及び第３外形部２３０は、幅方向Ｗの長さは２４ｍｍで形成されている。
【００３２】
スペーサー３０は、ローラー機構２０とカバー５０との間に配置される。スペーサー３０には、ローラー支持部材２４のスペーサー係合部２４５と係合する凸部３１０が形成されている。また、スペーサー３０には、補助ボール４０が、ローラー機構２０とカバー５０との間に挟持されることを妨げないように、凹状の切り欠き部３１２が形成されている。さらに、スペーサー３０の凸部３１０が形成された面の反対側の面には、カバー５０と係合する凹部３２０が形成されている。
【００３３】
カバー５０には、補助ボール４０を回転自在に保持するための補助ボール保持部５１２が形成されている。補助ボール保持部５１２は、肉厚の円板状の部材であり、内側、すなわち、本体２０に対向する側は、補助ボール４０の球体形状に対応する球状になっている。カバー５０には、スペーサー３０の凹部３２０と係合するスペーサー固定部５１０が形成されている。また、カバー５０には、本体１０のカバー係止部（図示せず）と係合して、カバー５０に固定されるためのはめ込み部５１４及び５１６が形成されている。カバー５０は、ローラー機構収容部１２０にローラー機構２０とスペーサー３０とが収容された状態で、本体１０に固定される。
【００３４】
このように、ローラー支持部材２４のスペーサー係合部２４５とスペーサー３０の凸部３１０とが係合され、スペーサー３０の凹部３２０とカバー５０のスペーサー固定部５１０とが係合され、カバー５０が本体１０に固定されることで、本体１０のローラー機構収容部１２０の内部で、ローラー機構２０の位置がずれることを防止しつつ固定される。
【００３５】
補助ボール４０は、ローラー支持部材２４の補助ボール保持孔２４４と、カバー５０の補助ボール保持部５１２とで挟持され、回転自在に保持されている。補助ボール４０は、直径１０ｍｍの球状体であり、ステンレスで形成されている。即ち、補助ボール４０の直径と、第１ローラー２１、第２ローラー２２及び第３ローラー２３の回転半径は長手方向Ｌの断面外径とは、略同一である。
【００３６】
図３に示すように、第１ローラー２１、第２ローラー２２及び第３ローラー２３と補助ボール４０とは、マッサージ器１の底面１ａからの高さが略同一に形成されている。すなわち、補助ボール４０の球面とマッサージ器１の底面１ａとの最長部の距離は距離ｄであり、第１ローラー２１、第２ローラー２２及び第３ローラー２３の外周面と底面１ａとの最長部の距離もほぼ距離ｄに等しい。そして、それぞれの外周部は、略同一の円弧状の曲面Ｐ上に配置されている。この曲面Ｐは、使用者が、心地よく感じる角度を計算して、第１ローラー２１等の各ローラーの半径よりも大きな半径の円弧として設定されている。第１ローラー２１、第２ローラー２２及び第３ローラー２３と補助ボール４０のそれぞれの間の距離は、実現可能な限り、できるだけ短く設定される。これは、後述のように、補助ボール４０で確保した顔面からの距離をそのまま各ローラーに引き継ぐためである。
【００３７】
図４は、前記実施形態に係るマッサージ器１の使用状態を説明する図である。図４中点線Ｓは、顔面の皮膚を示す。マッサージ器１の使用状態について説明する。マッサージ器１を先端から顔面に当接させる。すると、まず全方向に回転自在の補助ボール４０が、使用者の顔面に接触する。そして、この接触した部分の皮膚を曲面Ｐ（図３参照）に沿うように変形させる。このとき、補助ボール４０によって顔面との距離ｄが確保される。そして、マッサージ器１を移動させると、この変形した部分の皮膚は、距離ｄをほぼ維持した状態で、順次、第１ローラー２１、第２ローラー２２及び第３ローラー２３に当接する。第１ローラー２１は、上述のように、底面１ａとの距離がほぼ距離ｄであるから、補助ボール４０が確保した距離ｄにおいて、その回転半径が最長に近い部分が皮膚に接する。これにより、第１ローラー２１は、皮膚に接した時点から、スムーズに回転を開始する。第２ローラー２２及び第３ローラー２３も同様である。第１ローラー２１、第２ローラー２２及び第３ローラー２３は、回転して、皮膚に刺激を与える。
【００３８】
上記実施形態によれば、マッサージ器１は、以下の作用効果を奏する。マッサージ器１は、複数のローラー（第１ローラー２１、第２ローラー２２及び第３ローラー２３）を設けたので、顔面の広い範囲を同時にマッサージできる。また、先端側に全方向に回転自在の補助ボール４０を設けたので、マッサージ器４０をその先端側から顔面に当接させて移動するときに、移動する方向と複数のローラーが回転可能な方向とが異なったとしても、まず全方向に回転自在の補助ボール４０が顔面に接触して回転を開始し、あるいは、顔面上を滑る。そして、補助ボール４０が接触した部分の皮膚を所定の高さに変形させてから、当該複数のローラーに当接させることで、複数のローラーをスムーズに回転開始させることができる。すなわち、補助ボール４０を配置したことにより、ローラーにおいて最も回転軸から遠い部分が最初に顔面に接し、マッサージ器１を移動させる力が無駄なくローラに伝わり、ローラーはスムーズに回転を開始する。このように、補助ボール４０は、ローラーがスムーズに回転を開始して快適なマッサージを実施するための条件を整えるという重要な機能を有する。
【００３９】
また、補助ボール４０の回転半径と、第１ローラー２１、第２ローラー２２及び第３ローラー２３の回転半径は、略同一であるので、簡易な構造で、かつ、小さな形状を維持することができる。
【００４０】
また、第１ローラー２１、第２ローラー２２及び第３ローラー２３をそれぞれ異なる素材で形成することで、第１ローラー２１、第２ローラー２２及び第３ローラー２３の回転による皮膚への刺激に加え、さらに、個々の素材の特有の性質によって、それぞれ異なる作用を皮膚に与えることができる。顔面の皮膚に、複数の異なる作用を与えることにより、一層有効なマッサージ効果を付与することができる。
【００４１】
また、第１のローラー２１の遠赤外線セラミックは、遠赤外線を放射し、この遠赤外線により体内を温め、血行を促進する。これに加え、第２ローラー２２のマグネットは、その磁力により、血行を促進する。第３ローラー２３のゲルマニウムは、ゲルマニウム特有の作用によって血行を促進する。
【００４２】
また、第１ローラー２１及び第３ローラー２３に突起ａを設けることで、ローラーの回転により、多角柱ローラーによる刺激以外に、ピンポイントの刺激を皮膚に与えることができる。また、第２ローラー２２には、突起が設けられないから、第２ローラーからは多角柱ローラーによる刺激のみが与えられる。このように、第１ローラー２１及び第３ローラー２３による刺激の種類と、第２ローラー２２による刺激の種類が異なるから、顔面の皮膚に、複数の異なる作用を与えることができ、さらに一層有効なマッサージ効果を付与することができる。また、突起ａを設けた第１ローラー２１及び第３ローラー２３の間に、突起を設けていない第２ローラー２２を設けることで、突起ａ同士が干渉し、ローラーの回転を妨げることを防止できる。
【００４３】
また、ローラー機構２０は、ローラー機構収容部１２０にスペーサー３０とともに収容したので、本体１０の形状を変えた場合でも、スペーサー３０の形状を変えるだけで、ローラー機構２０の形状や仕様を変えることなく流用できるので、設計変更が容易にできる。
【００４４】
なお、本発明は前記実施形態に限定されるものではなく、本発明の目的を達成できる範囲での変形、改良等は本発明に含まれるものである。
【符号の説明】
【００４５】
１      マッサージ器
１０    本体
１１０  把持部  
１２０  ローラー機構収容部
１２１  ローラー突出孔
１２２  補助ボール突出孔
２０    ローラー機構
２１    第１ローラー
２１０  第１外形部
２１１  第１回転軸
２２    第２ローラー
２２０  第２外形部
２２１  第２回転軸
２３    第３ローラー
２３０  第３外形部
２３１  第３回転軸
２４    ローラー支持部材
２４１  第１孔
２４２  第２孔
２４３  第３孔
２４４  補助ボール保持孔
２４５  スペーサー係合部
３０    スペーサー
３１０  凸部
３１２  切り欠き部
３２０  凹部
４０    補助ボール
５０    カバー
５１０  スペーサー固定部
５１２  補助ボール保持部
５１４，５１６  はめ込み部
【図１】
2013128699.tif 000003
【図２】
2013128699.tif 000004
【図３】
2013128699.tif 000005
【図４】
2013128699.tif 000006